(57)【要約】【課題】健康管理のサービスを実施するに際し、健康データを登録するための不正ログインを抑制することができるようにする。【解決手段】サーバ１２により、各ユーザに対しユーザＩＤやパスワードを割り当て、各同意者に対し同意者ＩＤを割り当て、同意者ＩＤはユーザに付与し、いずれかのユーザ端末２０から健康データを登録するためのＷｅｂサイトのＷｅｂページへのログインが生じたとき、ユーザ端末２０によって入力されたユーザＩＤ、パスワード、同意者ＩＤを確認し、ユーザＩＤ、パスワード、同意者ＩＤを確認した場合に限り、ユーザＩＤ、パスワード、同意者ＩＤを入力したユーザ端末２０に対し、健康データを登録するためのＷｅｂページを送信するようにする。【選択図】    図１
2004259050.tif 000002
【特許請求の範囲】
【請求項１】
健康管理のサービスを提供するシステム運営者が保有するサーバと、
ユーザが保有し、インターネットを介して前記サーバに接続されている複数のユーザ端末と、
保険会社、医療機関、福祉機関等の同意者が保有し、前記インターネットを介して前記サーバ及び前記ユーザ端末に接続されている複数の同意者端末とを備え、
前記複数のユーザ端末は、
前記インターネットを介してのアクセス機能、情報の受信機能、受信した内容の表示機能を有し、
前記複数の同意者端末は、
前記ユーザ端末から受け取った前記ユーザの属性情報と、その属性情報に前記同意者の属性情報を付加させて前記サーバに送信する登録代行機能と、
登録代行によって得られる同意者ＩＤを前記ユーザ端末に送信する機能とを有し、
前記サーバは、
前記属性情報を受け取った各ユーザに対してユーザＩＤやパスワードを割り当て、その割り当てた前記ユーザＩＤやパスワードを前記ユーザ端末に送信する機能と、
前記属性情報を受け取った各同意者に対し前記同意者ＩＤを割り当て、その割り当てた前記同意者ＩＤを前記同意者端末に送信する機能と、
いずれかの前記ユーザ端末から健康データを登録するためのＷｅｂサイトのＷｅｂページへのログインが生じたとき、前記ユーザ端末によって入力されたユーザＩＤ、パスワード、同意者ＩＤを確認する機能と、
前記ユーザＩＤ、パスワード、同意者ＩＤを確認した場合に限り、前記ユーザＩＤ、パスワード、同意者ＩＤを入力した前記ユーザ端末に対し、前記健康データを登録するための前記Ｗｅｂページを送信する機能とを有している
ことを特徴とする健康管理サービスシステム。
【請求項２】
前記サーバは、
前記各ユーザの属性情報や、前記各同意者の属性情報を登録する機能と、
前記割り当てたユーザＩＤ、パスワード、同意者ＩＤを登録する機能と、
前記ＷｅｂサイトのＷｅｂページのうち、前記ユーザＩＤ、パスワード、同意者ＩＤを用いることなく閲覧できる前記Ｗｅｂページを提供する機能と、
前記登録された健康データを閲覧できる前記Ｗｅｂページを提供する機能とを有する
ことを特徴とする請求項１に記載の健康管理サービスシステム。
【請求項３】
前記健康管理のサービスを実施するためのサービス内容と、前記サーバによって受け付けられた前記各ユーザの属性情報や、前記各同意者の属性情報と、前記割り当てられたユーザＩＤ、パスワード、同意者ＩＤと、前記ユーザ端末によって入力された健康データとが登録されるデータベースを備えることを特徴とする請求項１又は２に記載の健康管理サービスシステム。
【請求項４】
健康管理のサービスを提供するシステム運営者が保有するサーバと、ユーザが保有し、インターネットを介して前記サーバに接続されている複数のユーザ端末と、保険会社、医療機関、福祉機関等の同意者が保有し、前記インターネットを介して前記サーバ及び前記ユーザ端末に接続されている複数の同意者端末とを備え、前記ユーザ端末によって前記健康管理のサービスにおける健康データの登録を受け付ける健康管理サービス方法であって、
前記複数のユーザ端末は、
前記インターネットを介してのアクセス、情報の受信、受信した内容の表示を行う工程を有し、
前記複数の同意者端末は、
前記ユーザ端末から受け取った前記ユーザの属性情報と、その属性情報に前記同意者の属性情報を付加させて前記サーバに送信する登録代行を行う工程と、
登録代行によって得られる同意者ＩＤを前記ユーザ端末に送信する工程とを有し、
前記サーバは、
前記属性情報を受け取った各ユーザに対してユーザＩＤやパスワードを割り当て、その割り当てた前記ユーザＩＤやパスワードを前記ユーザ端末に送信する工程と、
前記属性情報を受け取った各同意者に対し前記同意者ＩＤを割り当て、その割り当てた前記同意者ＩＤを前記同意者端末に送信する工程と、
いずれかの前記ユーザ端末から健康データを登録するためのＷｅｂサイトのＷｅｂページへのログインが生じたとき、前記ユーザ端末によって入力されたユーザＩＤ、パスワード、同意者ＩＤを確認する工程と、
前記ユーザＩＤ、パスワード、同意者ＩＤを確認した場合に限り、前記ユーザＩＤ、パスワード、同意者ＩＤを入力した前記ユーザ端末に対し、前記健康データを登録するための前記Ｗｅｂページを送信する工程とを有している
ことを特徴とする健康管理サービス方法。
【請求項５】
前記サーバは、
前記各ユーザの属性情報や、前記各同意者の属性情報を登録する工程と、
前記割り当てたユーザＩＤ、パスワード、同意者ＩＤを登録する工程と、
前記ＷｅｂサイトのＷｅｂページのうち、前記ユーザＩＤ、パスワード、同意者ＩＤを用いることなく閲覧できる前記Ｗｅｂページを提供する工程と、
前記登録された健康データを閲覧できる前記Ｗｅｂページを提供する工程とを有する
ことを特徴とする請求項４に記載の健康管理サービス方法。
【請求項６】
前記健康管理のサービスを実施するためのサービス内容と、前記サーバによって受け付けられた前記各ユーザの属性情報や、前記各同意者の属性情報と、前記割り当てられたユーザＩＤ、パスワード、同意者ＩＤと、前記ユーザ端末によって入力された健康データとをデータベースに登録する工程を有することを特徴とする請求項４又は５に記載の健康管理サービス方法。
【発明の詳細な説明】
【０００１】
【発明の属する技術分野】
本発明は、健康管理のサービスを実施するに際し、健康データの登録を行う際の不正ログインを抑制する健康管理サービスシステムに関する。
【０００２】
【従来の技術】
健康管理の支援サービスを行うものとして、特許文献１に示されているものがある。これは、被験者に対しインターネットを介して健康管理を行うための質問を送信し、被験者からインターネットを介して送信された回答に基づいて健康管理指導を導出し、その健康管理指導を被験者にインターネットを介して送信するようにしたものである。
【０００３】
【特許文献１】
特開２００２−４１６６３
【０００４】
【発明が解決しようとする課題】
ところが、特許文献１に示されている健康管理の支援サービスを行う方法では、被験者からの健康管理を行うための質問に対する回答をそのままインターネットを介して受け取るようにしているため、不正ログインによって被験者の入力した健康に関するデータが改竄されてしまう危険性がある。
【０００５】
本発明は、このような状況に鑑みてなされたものであり、健康管理のサービスを実施するに際し、健康データを登録するための不正ログインを抑制することができる健康管理サービスシステムを提供することができるようにするものである。
【０００６】
【課題を解決するための手段】
本発明の健康管理サービスシステムは、健康管理のサービスを提供するシステム運営者が保有するサーバと、ユーザが保有し、インターネットを介してサーバに接続されている複数のユーザ端末と、保険会社、医療機関、福祉機関等の同意者が保有し、インターネットを介してサーバ及びユーザ端末に接続されている複数の同意者端末とを備え、複数のユーザ端末は、インターネットを介してのアクセス機能、情報の受信機能、受信した内容の表示機能を有し、複数の同意者端末は、ユーザ端末から受け取ったユーザの属性情報と、その属性情報に同意者の属性情報を付加させてサーバに送信する登録代行機能と、登録代行によって得られる同意者ＩＤをユーザ端末に送信する機能とを有し、サーバは、属性情報を受け取った各ユーザに対してユーザＩＤやパスワードを割り当て、その割り当てたユーザＩＤやパスワードをユーザ端末に送信する機能と、属性情報を受け取った各同意者に対し同意者ＩＤを割り当て、その割り当てた同意者ＩＤを同意者端末に送信する機能と、いずれかのユーザ端末から健康データを登録するためのＷｅｂサイトのＷｅｂページへのログインが生じたとき、ユーザ端末によって入力されたユーザＩＤ、パスワード、同意者ＩＤを確認する機能と、ユーザＩＤ、パスワード、同意者ＩＤを確認した場合に限り、ユーザＩＤ、パスワード、同意者ＩＤを入力したユーザ端末に対し、健康データを登録するためのＷｅｂページを送信する機能とを有していることを特徴とする。
また、サーバは、各ユーザの属性情報や、各同意者の属性情報を登録する機能と、割り当てたユーザＩＤ、パスワード、同意者ＩＤを登録する機能と、ＷｅｂサイトのＷｅｂページのうち、ユーザＩＤ、パスワード、同意者ＩＤを用いることなく閲覧できるＷｅｂページを提供する機能と、登録された健康データを閲覧できるＷｅｂページを提供する機能とを有するようにすることができる。
また、健康管理のサービスを実施するためのサービス内容と、サーバによって受け付けられた各ユーザの属性情報や、各同意者の属性情報と、割り当てられたユーザＩＤ、パスワード、同意者ＩＤと、ユーザ端末によって入力された健康データとが登録されるデータベースを備えるようにすることができる。
本発明の健康管理サービス方法は、健康管理のサービスを提供するシステム運営者が保有するサーバと、ユーザが保有し、インターネットを介してサーバに接続されている複数のユーザ端末と、保険会社、医療機関、福祉機関等の同意者が保有し、インターネットを介してサーバ及びユーザ端末に接続されている複数の同意者端末とを備え、ユーザ端末によって健康管理のサービスにおける健康データの登録を受け付ける健康管理サービス方法であって、複数のユーザ端末は、インターネットを介してのアクセス、情報の受信、受信した内容の表示を行う工程を有し、複数の同意者端末は、ユーザ端末から受け取ったユーザの属性情報と、その属性情報に同意者の属性情報を付加させてサーバに送信する登録代行を行う工程と、登録代行によって得られる同意者ＩＤをユーザ端末に送信する工程とを有し、サーバは、属性情報を受け取った各ユーザに対してユーザＩＤやパスワードを割り当て、その割り当てたユーザＩＤやパスワードをユーザ端末に送信する工程と、属性情報を受け取った各同意者に対し同意者ＩＤを割り当て、その割り当てた同意者ＩＤを同意者端末に送信する工程と、いずれかのユーザ端末から健康データを登録するためのＷｅｂサイトのＷｅｂページへのログインが生じたとき、ユーザ端末によって入力されたユーザＩＤ、パスワード、同意者ＩＤを確認する工程と、ユーザＩＤ、パスワード、同意者ＩＤを確認した場合に限り、ユーザＩＤ、パスワード、同意者ＩＤを入力したユーザ端末に対し、健康データを登録するためのＷｅｂページを送信する工程とを有していることを特徴とする。
また、サーバは、各ユーザの属性情報や、各同意者の属性情報を登録する工程と、割り当てたユーザＩＤ、パスワード、同意者ＩＤを登録する工程と、ＷｅｂサイトのＷｅｂページのうち、ユーザＩＤ、パスワード、同意者ＩＤを用いることなく閲覧できるＷｅｂページを提供する工程と、登録された健康データを閲覧できるＷｅｂページを提供する工程とを有するようにすることができる。
また、健康管理のサービスを実施するためのサービス内容と、サーバによって受け付けられた各ユーザの属性情報や、各同意者の属性情報と、割り当てられたユーザＩＤ、パスワード、同意者ＩＤと、ユーザ端末によって入力された健康データとをデータベースに登録する工程を有するようにすることができる。
本発明に係る健康管理サービスシステムにおいては、サーバにより、各ユーザに対しユーザＩＤやパスワードを割り当て、各同意者に対し同意者ＩＤを割り当て、同意者ＩＤはユーザに付与し、いずれかのユーザ端末から健康データを登録するためのＷｅｂサイトのＷｅｂページへのログインが生じたとき、ユーザ端末によって入力されたユーザＩＤ、パスワード、同意者ＩＤを確認し、ユーザＩＤ、パスワード、同意者ＩＤを確認した場合に限り、ユーザＩＤ、パスワード、同意者ＩＤを入力したユーザ端末に対し、健康データを登録するためのＷｅｂページを送信するようにする。
【０００７】
【発明の実施の形態】
以下、本発明の実施の形態について説明する。
図１は、本発明の健康管理サービスシステムの一実施の形態を示す図であり、健康管理システム１０、複数のユーザ端末２０、複数の同意者端末３０を備えている。また、これら健康管理システム１０、複数のユーザ端末２０、複数の同意者端末３０は、インターネット４０を介して相互に通信できるようになっている。
健康管理システム１０は、システム運営者が保有するものであり、運営者端末１１、サーバ１２、データベース１３を備えている。
【０００８】
運営者端末１１は、各ユーザに対し、健康管理のサービスを実施するためのサービス内容をデータベース１３に登録する機能等を有している。
サーバ１２は、インターネット４０を介しての各ユーザ端末２０及び各同意者端末３０からのアクセスに対して後述の健康管理に関するＷｅｂサイトのＷｅｂページを提供する機能を有している。また、サーバ１２は、同意者である保険会社（生保、損保を含む）、医療機関（病院、診療所等）、福祉機関等により登録代行された各ユーザの属性情報や、各同意者の属性情報を受け取ると、それらの属性情報をデータベース１３に登録する機能と、属性情報を受け取った各ユーザに対してユーザＩＤやパスワードを割り当てる機能と、属性情報を受け取った同意者に対し同意者ＩＤを割り当てる機能とを有している。
また、サーバ１２は、後述の健康データを登録するためのＷｅｂサイトのＷｅｂページへのログインが生じたとき、ユーザＩＤ、パスワード、同意者ＩＤを確認する機能と、そのユーザＩＤ、パスワード、同意者ＩＤを確認した場合に限り、そのユーザＩＤ、パスワード、同意者ＩＤを入力したいずれかのユーザ端末２０に対し、後述の健康データを登録するためのＷｅｂページを提供する機能とを有している。
【０００９】
データベース１３には、運営者端末１１によって入力された健康管理のサービスを実施するためのサービス内容が登録されている。また、データベース１３には、サーバ１２によって受け付けられた同意者である保険会社、医療機関、福祉機関等による登録代行によっての各ユーザの属性情報や、各同意者の属性情報や、各ユーザ端末２０によって入力された健康データが登録される。また、データベース１３には、サーバ１２により各ユーザに割り当てられたユーザＩＤやパスワード及び各同意者に割り当てられた同意者ＩＤ等が登録される。
ここで、各ユーザの属性情報としては、住所、氏名、年齢、性別、職業、電話番号、電子メールアドレス等とすることができる。また、各同意者の属性情報としては、会社名、施設名、住所、電話番号、電子メールアドレス、担当者名等とすることができる。
【００１０】
複数のユーザ端末２０は、健康管理のサービスを受ける一般のユーザが保有するものであり、サーバ１２へのアクセス機能、サーバ１２からの情報の受信機能、受信した内容の表示機能等を有してる。なお、ユーザ端末２０としては、通信機能を有したディスクトップパソコン、ノートパソコン、携帯電話、ＰＤＡ等を用いることができる。
複数の同意者端末３０は、保険会社、医療機関、福祉機関等が保有するものであり、システム運営者が提供する健康管理のサービスにおける各ユーザのための健康データの登録に必要となる契約を、各ユーザに代わって登録する登録代行機能を有している。ここでの登録代行は、ユーザが所定の登録用紙に記入した上述の属性情報を各ユーザ端末２０から受け取り、その属性情報に同意者の属性情報を付加させてサーバ１２に送信することにより行われる。また、複数の同意者端末３０は、複数のユーザ端末２０によって登録された健康管理に関する各ユーザの健康管理データを閲覧できるようになっている。また、複数の同意者端末３０は、複数のユーザ端末２０に対して同意者ＩＤを付与する機能を有している。
【００１１】
図２は、健康管理システム１０のサーバ１２が提供するＷｅｂサイトのＷｅｂページのうち、ユーザＩＤ、パスワード、同意者ＩＤを用いることなく閲覧できるサービス内容のＷｅｂページの一例を示す図であり、全国版と地域版からなる医療機関検索、ネット医療相談、お薬全情報、検査項目説明、提携ＮＰＯ紹介等の項目が設けられている。そして、各ユーザ端末２０及び各同意者端末３０により、これらの内容からいずれかをクリックすると、医療機関を検索できたり、ネット医療の相談を受けられたり、お薬の全情報が得られたり、検査項目の説明を受けられたり、提携ＮＰＯが紹介されたりする。
【００１２】
図３は、健康管理システム１０のサーバ１２が提供するＷｅｂサイトのＷｅｂページのうち、ユーザＩＤ、パスワード、同意者ＩＤを用いることによって閲覧できるサービス内容のＷｅｂページの一例を示す図であり、健康チェックのメニュー検索、各種検査の予約（申込）代行、「がん」「心臓」「脳」サポート、健康ＦＩＬＥ等の項目が設けられている。これらの内容は、図４に示すように、複数のユーザ端末２０がユーザＩＤ、パスワード、同意者ＩＤを用いサーバ１２へアクセスすることで、各項目に対する健康データを登録することができるようになっている。
【００１３】
次に、上述した健康管理サービスシステムによる健康管理サービス方法について説明する。
まず、図５に示すように、いずれかのユーザ端末２０により、健康データを登録する場合には、ユーザが所定の登録用紙に上述した属性情報を記入し、保険会社、医療機関、福祉機関等に登録代行を依頼する（ステップＳ１）。この場合、電子メールによって保険会社、医療機関、福祉機関等に登録代行を依頼することも可能である。
登録代行の依頼を受けた保険会社、医療機関、福祉機関等は、同意者端末３０により、健康管理システム１０のサーバ１２へのアクセスによってユーザからの所定の登録用紙に記入された属性情報及び同意者の属性情報を送信する（ステップＳ２）。このとき、サーバ１２は、同意者である保険会社、医療機関、福祉機関等により登録代行された各ユーザの属性情報や、各同意者の属性情報を受け取ると、それらの属性情報をデータベース１３に登録する（ステップＳ３）。次いで、サーバ１２は、属性情報を受け取った各ユーザに対してユーザＩＤやパスワードを割り当てる（ステップＳ４）。また、サーバ１２は、属性情報を受け取った同意者に対し同意者ＩＤを割り当てる（ステップＳ５）。そして、割り当てられたユーザＩＤ及びパスワードは、サーバ１２から登録代行を依頼したいずれかのユーザ端末２０に電子メール等で返信される（ステップＳ６）。また、割り当てられた同意者ＩＤは、登録代行を行ったいずれかの同意者端末３０に電子メール等で返信され（ステップＳ７）、さらにその同意者端末３０から登録代行を依頼したいずれかのユーザ端末２０に電子メール等で送信される（ステップＳ８）。
【００１４】
そして、いずれかのユーザ端末２０により、図４に示した登録ログイン画面にてユーザＩＤ、パスワード、同意者ＩＤを入力して図示しない完了又は送信ボタンをクリックすると（ステップＳ９）、サーバ１２により、ユーザ端末２０によって入力されたユーザＩＤ、パスワード、同意者ＩＤと、データベース１３に登録されているユーザＩＤ、パスワード、同意者ＩＤとが照合され（ステップＳ１０）、全てが一致している場合には健康データを登録するためのサービス内容を示すＷｅｂページがユーザＩＤ、パスワード、同意者ＩＤを入力したユーザ端末２０に送信される（ステップＳ１１，Ｓ１２）。これに対し、ユーザＩＤ、パスワード、同意者ＩＤの少なくとも一つが一致していない場合には、サーバ１２からアクセスのあったユーザ端末２０へエラーメッセージが通知される（ステップＳ１３）。
ここで、ユーザ端末２０により、健康チェックのメニュー検索、各種検査の予約（申込）代行、「がん」「心臓」「脳」サポート、健康ＦＩＬＥ等の項目のいずれかがクリックされると（ステップＳ１４）、サーバ１２により、その項目に対応する健康データを入力するためのＷｅｂページがアクセスのあったいずれかのユーザ端末２０に送信される（ステップＳ１５）。ここで、ユーザ端末２０により、必要となる健康データを入力し、図示しない完了又は送信ボタンをクリックすると（ステップＳ１６）、入力されたユーザの健康データがサーバ１２によって受け付けられた後、データベース１３に登録される（ステップＳ１７）。
【００１５】
次に、図２に示したサービス内容のＷｅｂページを閲覧する場合は、健康管理システム１０のサーバ１２に対し、ユーザＩＤ、パスワード、同意者ＩＤを用いずにいずれかのユーザ端末２０からのアクセスがあると（ステップＳ１８）、サーバ１２からそのアクセスのあったユーザ端末２０のいずれかに図２に示したサービス内容のＷｅｂページが提供される（ステップＳ１９）。ここで、いずれかのユーザ端末２０により、医療機関検索、ネット医療相談、お薬全情報、検査項目説明、提携ＮＰＯ紹介等のいずれかの項目がクリックされると、サーバ１２によりその項目に対応する情報がデータベース１３から検索されてアクセスのあったいずれかのユーザ端末２０に送信される。
また、いずれかの同意者端末３０により、いずれかのユーザの健康データを閲覧する必要が生じた場合には、ユーザに割り当てられているユーザＩＤを用いることで、特定のユーザの健康データを閲覧することができる（ステップＳ２０，Ｓ２１）。
【００１６】
このように、本実施の形態では、サーバ１２により、各ユーザに対しユーザＩＤやパスワードを割り当て、各同意者に対し同意者ＩＤを割り当て、同意者ＩＤはユーザに付与し、いずれかのユーザ端末２０から健康データを登録するためのＷｅｂサイトのＷｅｂページへのログインが生じたとき、ユーザ端末２０によって入力されたユーザＩＤ、パスワード、同意者ＩＤを確認し、ユーザＩＤ、パスワード、同意者ＩＤを確認した場合に限り、ユーザＩＤ、パスワード、同意者ＩＤを入力したユーザ端末２０に対し、健康データを登録するためのＷｅｂページを送信するようにしたので、健康管理のサービスを実施するに際し、健康データを登録するための不正ログインを抑制することができる。これにより、ユーザによって登録された健康データの不正ログインによる改竄が防げる。
つまり、たとえば会員専用のＷｅｂサイトのＷｅｂページへのログインは、一般にユーザＩＤやパスワードを用いて行われるが、これらユーザＩＤやパスワードはハッカーによって盗まれてしまうことがある。そこで、ユーザＩＤやパスワードに、第三者である同意者としての保険会社、医療機関、福祉機関等に割り当てた同意者ＩＤを付加するようにすれば、ユーザＩＤやパスワードがたとえ盗まれたとしてもセキュリティ効果が高められることになる。言い換えれば、ハッカーにとってユーザと第三者である同意者との関係までを突き止めることは困難であり、ユーザＩＤやパスワードと同意者ＩＤとの紐づけられた関係をまでを知ることは極めて難しくなると言える。
【００１７】
なお、上述したユーザＩＤやパスワードにあっては、これらユーザＩＤやパスワードを時計、ブレスレット、ネックレス等の携帯品に刻印しておき、ユーザが健康面で緊急事態に直面したとき、医師等がその携帯品に刻印されているユーザのユーザＩＤやパスワードを用いて、サーバ１２へアクセスし、ユーザの登録済みの健康データを閲覧できるようにしてもよい。これにより、ユーザの過去の病歴等をすみやかに確認することができるので、緊急事態に対する迅速な対応が可能となる。
【００１８】
【発明の効果】
以上の如く本発明に係る健康管理サービスシステムによれば、サーバにより、各ユーザに対しユーザＩＤやパスワードを割り当て、各同意者に対し同意者ＩＤを割り当て、同意者ＩＤはユーザに付与し、いずれかのユーザ端末から健康データを登録するためのＷｅｂサイトのＷｅｂページへのログインが生じたとき、ユーザ端末によって入力されたユーザＩＤ、パスワード、同意者ＩＤを確認し、ユーザＩＤ、パスワード、同意者ＩＤを確認した場合に限り、ユーザＩＤ、パスワード、同意者ＩＤを入力したユーザ端末に対し、健康データを登録するためのＷｅｂページを送信するようにしたので、健康管理のサービスを実施するに際し、健康データを登録するための不正ログインを抑制することができる。
【図面の簡単な説明】
【図１】本発明の健康管理サービスシステムの一実施の形態を示す図である。
【図２】図１の健康管理システムのサーバが提供するＷｅｂサイトのＷｅｂページのうち、ユーザＩＤ、パスワード、同意者ＩＤを用いることなく閲覧できるサービス内容のＷｅｂページの一例を示す図である。
【図３】図１の健康管理システムのサーバが提供するＷｅｂサイトのＷｅｂページのうち、ユーザＩＤ、パスワード、同意者ＩＤを用いることによって閲覧できるサービス内容のＷｅｂページの一例を示す図である。
【図４】図１のユーザ端末により、健康データを入力するための登録ログイン画面を示す図である。
【図５】図１の健康管理サービスシステムによる健康管理サービス方法を説明するためのフローチャートである。
【符号の説明】
１０  健康管理システム
１１  運営者端末
１２  サーバ
１３  データベース
２０  ユーザ端末
３０  同意者端末
４０  インターネット
【図１】
2004259050.tif 000003
【図２】
2004259050.tif 000004
【図３】
2004259050.tif 000005
【図４】
2004259050.tif 000006
【図５】
2004259050.tif 000007